(57)【特許請求の範囲】
【請求項１】
上枠と、下枠と、左縦枠と、右縦枠と、連結枠とを備え、上枠、下枠、左縦枠及び右縦枠は、前後方向に延びネジ止め部を設けた基壁と、基壁の前側端部から外周側へ延びる前側壁と、前側壁の外周側端部から後側へ延びる前外周側壁と、基壁の後側端部から外周側へ延びる後側壁と、後側壁の外周側端部から前側へ延びる後外周側壁とを各々有し、上枠と下枠又は左縦枠と右縦枠は、隣接する際には対向する前外周側壁及び後外周側壁が各々当接し、連結枠は、隣接する枠の間に形成される空間に配置され、隣接する枠の一方の枠に係合し、他方の枠を係止した状態で、他方の枠のネジ止め部に挿通するネジで、他方の枠に取り付けてあることを特徴とする窓。
【請求項２】
上枠と、下枠と、左縦枠と、右縦枠と、連結枠とを備え、上枠、下枠、左縦枠及び右縦枠は、前後方向に延びネジ止め部を設けた基壁と、基壁の前側端部から外周側へ延びる前側壁と、前側壁の外周側端部から後側へ延びる前外周側壁と、基壁の後側端部から外周側へ延びる後側壁と、後側壁の外周側端部から前側へ延びる後外周側壁とを各々有し、上枠と下枠又は左縦枠と右縦枠は、隣接する際には対向する前外周側壁及び後外周側壁が各々当接し、連結枠は、隣接する枠の間に形成される空間に配置され、隣接する枠のうちの少なくとも一方の枠に係合し、他方の枠のネジ止め部に挿通するネジで取り付けてあるものであって、上枠、下枠、左縦枠及び右縦枠のネジ止め部は、各枠を躯体に固定するためのネジ孔として兼用できるものであることを特徴とする窓。
【発明の詳細な説明】
【技術分野】
【０００１】
本発明は、上下又は左右に連結可能な窓に関する。
【背景技術】
【０００２】
段窓又は連窓において、上下の横枠同士又は左右の縦枠同士を連結枠により連結するものは公知である（例えば、特許文献１及び２）。
【先行技術文献】
【特許文献】
【０００３】
【特許文献１】特開２００６−１７７０２２号公報
【特許文献２】特開２００３−８２９３９号公報
【発明の概要】
【発明が解決しようとする課題】
【０００４】
しかしながら、特許文献１の連結枠は、上下に窓を連段する無目として用いるものであり、特許文献２の連結枠は、左右に窓を連窓する方立として用いるものであった。また、連結枠の一部が屋外側に露出しており、外観が好ましくなかった。さらに、連結枠と、上下枠のそれぞれ又は左右縦枠のそれぞれをネジ止めする必要があり、作業工程が煩雑であった。
【０００５】
本発明は、上記事情を鑑みたものであり、連結枠を無目と方立の双方で兼用でき、連結枠が外部に露出せず、さらに施工時の作業工程が簡便な窓を提供することを目的とする。
【課題を解決するための手段】
【０００６】
本発明のうち請求項１の発明は、上枠と、下枠と、左縦枠と、右縦枠と、連結枠とを備え、上枠、下枠、左縦枠及び右縦枠は、前後方向に延びネジ止め部を設けた基壁と、基壁の前側端部から外周側へ延びる前側壁と、前側壁の外周側端部から後側へ延びる前外周側壁と、基壁の後側端部から外周側へ延びる後側壁と、後側壁の外周側端部から前側へ延びる後外周側壁とを各々有し、上枠と下枠又は左縦枠と右縦枠は、隣接する際には対向する前外周側壁及び後外周側壁が各々当接し、連結枠は、隣接する枠の間に形成される空間に配置され、隣接する枠の一方の枠に係合し、他方の枠を係止した状態で、他方の枠のネジ止め部に挿通するネジで、他方の枠に取り付けてあることを特徴とする。
【０００７】
本発明のうち請求項２の発明は、上枠と、下枠と、左縦枠と、右縦枠と、連結枠とを備え、上枠、下枠、左縦枠及び右縦枠は、前後方向に延びネジ止め部を設けた基壁と、基壁の前側端部から外周側へ延びる前側壁と、前側壁の外周側端部から後側へ延びる前外周側壁と、基壁の後側端部から外周側へ延びる後側壁と、後側壁の外周側端部から前側へ延びる後外周側壁とを各々有し、上枠と下枠又は左縦枠と右縦枠は、隣接する際には対向する前外周側壁及び後外周側壁が各々当接し、連結枠は、隣接する枠の間に形成される空間に配置され、隣接する枠のうちの少なくとも一方の枠に係合し、他方の枠のネジ止め部に挿通するネジで取り付けてあるものであって、上枠、下枠、左縦枠及び右縦枠のネジ止め部は、各枠を躯体に固定するためのネジ孔として兼用できるものであることを特徴とする。
【発明の効果】
【０００８】
本発明のうち請求項１の発明によれば、上枠、下枠、左縦枠及び右縦枠がそれぞれ連結枠と係合するよう共通した形状を有するので、連結枠を無目と方立において兼用することができ、その結果製造コストを低減できる。また、連結する上下枠同士又は左右縦枠同士がその前外周側壁及び後外周側壁において当接して両枠の間に前後方向に閉じた空間を形成し、連結枠が上下枠又は左右縦枠の間の空間に収まるため、連結枠が外部に露出せず、外観が好ましい。さらに、連結枠と上下枠又は左右縦枠とは見付け方向の一箇所以上においてネジ止めされるが、各ネジ止め箇所においては見込み方向一箇所のみ（上下枠の何れか一方又は左右縦枠の何れか一方）のネジ止めで連結できるため、作業工程を減らすことができる。また、ネジ止めに際しては、連結枠が、隣接する枠の一方の枠に係合し、他方の枠を係止することで、ネジ止め前でも一方の枠と他方の枠の連結状態が維持されるため、作業が容易である。
【０００９】
本発明のうち請求項２の発明によれば、上枠、下枠、左縦枠及び右縦枠がそれぞれ連結枠と係合するよう共通した形状を有するので、連結枠を無目と方立において兼用することができ、その結果製造コストを低減できる。また、連結する上下枠同士又は左右縦枠同士がその前外周側壁及び後外周側壁において当接して両枠の間に前後方向に閉じた空間を形成し、連結枠が上下枠又は左右縦枠の間の空間に収まるため、連結枠が外部に露出せず、外観が好ましい。さらに、連結枠と上下枠又は左右縦枠とは見付け方向の一箇所以上においてネジ止めされるが、各ネジ止め箇所においては見込み方向一箇所のみ（上下枠の何れか一方又は左右縦枠の何れか一方）のネジ止めで連結できるため、作業工程を減らすことができる。また、連結枠と上下枠又は左右縦枠をネジ止めするために上枠、下枠、左縦枠及び右縦枠に設けるネジ止め部は、各枠を躯体に固定するためのネジ孔と兼用できるので、ネジの取付位置が躯体と連結枠とで同一面内となるため、施工性が良好である。
【図面の簡単な説明】
【００１０】
【図１】図３のＡ−Ａ線断面図である。
【図２】図３のＢ−Ｂ線断面図である。
【図３】本発明の窓により構成した段窓の前側正面図である。
【図４】図５のＣ−Ｃ線断面図である。
【図５】本発明の窓により構成した連窓の前側正面図である。
【発明を実施するための形態】
【００１１】
以下、本発明の実施の形態を図面に基づいて説明する。図１から図３は、本発明の窓により構成する段窓である。この段窓は、図３に示すように、上窓７０と下窓７１と無目７２とを有し、上窓７０は、上枠１と下枠２と左縦枠３と右縦枠４とを四方枠組みした枠体に、ガラス７３を嵌め込んだ嵌め殺し窓である。下窓７１は、上枠１と下枠２と左縦枠３と右縦枠４とを四方枠組みして枠体を構成し、上枠１と下枠２との間に障子７４を開閉自在に支持したたてすべり出し窓である。無目７２は下窓７１の上枠１と上窓７０の下枠２を連結枠５で連結して構成する。なお、上枠１、下枠２、左縦枠３及び右縦枠４で組んだ枠体を正面視して、枠の周囲を外周側とし、また、見込み方向の一方を前側、他方を後側とするものであって、ここでは段窓によって仕切られる空間の紙面手前側を前側、紙面奥側を後側とした。以下、下窓７１の上枠１と上窓７０の下枠２と連結枠５の構造について詳しく説明する。
【００１２】
図１に示すように、下窓７１の上枠１及び上窓７０の下枠２は、それぞれ前後方向に延びる基壁１０，２０を有し、基壁１０，２０の前側端部からは外周側（すなわち、上枠１からは上側、下枠２からは下側）へ前側壁１１，２１が延び、前側壁１１，２１の外周側端部からは後側へ前外周側壁１２，２２が延びる。一方、基壁１０，２０の後側端部からは外周側へ後側壁１３，２３が延び、後側壁１３，２３の外周側端部からは前側へ後外周側壁１４，２４が延びる。そして、上枠１及び下枠２は、前後方向の離間した位置に被係止部（前側被係止部及び後側被係止部）を備える。すなわち、基壁１０，２０の前側壁１１，２１と後側壁１３，２３の間からは外周側へ中間壁１６，２６が延び、中間壁１６，２６の外周側端部からは後側へ前側被係止部１７，２７が延びる。基壁１０，２０の中間壁１６，２６と後側壁１３，２３の間にはネジ止め部１５，２５を設け、基壁１０，２０の中間壁１６，２６とネジ止め部１５，２５の間からは外周側へ補助壁１８，２８が延び、補助壁１８，２８の外周側端部からは後側被係止部１９，２９が後側へ延びる。このように構成した両枠１，２においては、被係合部（前側被係合部及び後側被係合部）が以下のように形成される。すなわち、基壁１０，２０と、中間壁１６，２６と、前側被係止部１７，２７とでコの字形の前側被係合部１１１ａ，１２１ａを形成し、基壁１０，２０と、後側壁１３，２３と、後外周側壁１４，２４とでコの字形の後側被係合部１１１ｂ，１２１ｂを形成する。なお、両枠１，２において、前側被係合部１１１ａ，１２１ａに対する後側被係合部１１１ｂ，１２１ｂ、ネジ止め部１５，２５及び後側被係止部１９，２９の位置関係は同じである。
連結枠５は、前後方向に延びる胴部５０を有し、胴部５０の前後両端から下側へ延びる前側係合部５１ａ及び後側係合部５１ｂを設ける。両係合部５１ａ，５１ｂは、上枠１及び下枠２の両被係合部１１１ａ，１１１ｂ，１２１ａ，１２１ｂに丁度嵌まる長さである。胴部５０の前側端部には前側に開口する前側係止部５２ａを設ける。胴部５０の前後方向中間部の上側には、下枠２のネジ止め部２５に対応する位置にネジ受け部５３を設ける。また、胴部５０のネジ受け部５３の反対側には、上枠１のネジ止め部１５に対応する位置に補助ネジ受け部５４を設け、ネジ受け部５３の前側側面には前側に開口する溝状の後側係止部５２ｂが設けてある。
【００１３】
上枠１と下枠２とは、それぞれ前外周側壁１２，２２同士、後外周側壁１４，２４同士及び前側被係止部１７，２７同士が当接し、上枠１の前側被係合部１１１ａと連結枠５の前側係合部５１ａとが係合し、上枠１の後側被係合部１１１ｂと連結枠５の後側係合部５１ｂとが係合し、下枠２の前側被係止部２７が連結枠５の前側係止部５２ａに係止され、下枠２の後側被係止部２９が連結枠５の後側係止部５２ｂに係止される。そして、下枠２のネジ止め部２５にネジ６０を挿入し、ネジ受け部５３に螺入することで、上枠１と下枠２を連結する。なお、このネジ止めは見付け方向の複数箇所で行う。
このように、両枠１，２の前外周側壁１２，２２同士及び後外周側壁１４，２４同士が当接しており、両枠１，２の内部に連結枠５が収まるため、連結枠５が外部に露出せず、外観が好ましい。特に、両枠１，２の前側壁１１，２１同士及び後側壁１３，２３同士を面一に形成すると、より良好な外観となり望ましい。また、組み立てに際しては、まず連結枠５を上枠１の見付け方向端部から挿入して両係合部５１ａ，５１ｂを両被係合部１１１ａ，１１１ｂに係合させるが、連結枠５の両係合部５１ａ，５１ｂ及び補助ネジ受け部５４の先端が上枠１の基壁１０に当接するので、連結枠５が上枠１側に脱落しない。続いて、下枠２の両被係止部２７，２９をそれぞれ連結枠５の両係止部５２ａ，５２ｂに係止することで、ネジ止め前でも連結状態が維持されるため、その後のネジ止め作業が容易である。そして、両枠１，２と連結枠５とを見込み方向一箇所のみのネジ止めで連結するため、作業工程を低減することができる。さらに、ネジ止めについて、見付け方向の少なくとも一箇所において下枠２側からネジ止めすれば、両枠１，２の前後方向のずれを抑えることができ、その他の箇所において下枠２側からネジ止めを行うことが困難である場合には、上枠１のネジ止め部１５にネジを挿入し、補助ネジ受け部５４に螺入することで、上枠１側からでもネジ止めを行うことができるため、施工性が良好である。
【００１４】
また、図２に示すように、この段窓は、上窓７０の上枠１及び下窓７１の下枠２を、それぞれ上下の躯体９１，９２に躯体固定用ネジ６１，６２によりネジ止めしてある。この際、連結枠５と両枠１，２をネジ止めするために両枠１，２に設けるネジ止め部１５，２５は、上窓７０の上枠１及び下窓７１の下枠２を躯体９１，９２に固定するためのネジ孔として兼用できる。よって、ネジの取付位置が、躯体９１，９２と連結枠５とで同一面内となるので、施工性が良好である。
【００１５】
そして、上記のとおり形成した連結枠５は、連窓を構成するための方立に用いることもできる。図４及び図５は、本発明の窓により構成する連窓である。この連窓は、図５に示すように、左窓８０と右窓８１と方立８２とを有し、左窓８０は、上枠１と下枠２と左縦枠３と右縦枠４とを四方枠組みして枠体を構成し、上枠１と下枠２との間に障子８３を開閉自在に支持したたてすべり出し窓である。右窓８１は、上枠１と下枠２と左縦枠３と右縦枠４とを四方枠組みした枠体に、ガラス８４を嵌め込んだ嵌め殺し窓である。方立８２は右窓８１の左縦枠３と左窓８０の右縦枠４を連結枠５で連結して構成する。以下、右窓８１の左縦枠３と左窓８０の右縦枠４と連結枠５の構造について詳しく説明する。
【００１６】
図４に示すように、右窓８１の左縦枠３及び左窓８０の右縦枠４は、それぞれ前後方向に延びる基壁３０，４０を有し、基壁３０，４０の前側端部からは外周側（すなわち、左縦枠３からは左側、右縦枠４からは右側）へ前側壁３１，４１が延び、前側壁３１，４１の外周側端部からは後側へ前外周側壁３２，４２が延びる。一方、基壁３０，４０の後側端部からは外周側へ後側壁３３，４３が延び、後側壁３３，４３の外周側端部からは前側へ後外周側壁３４，４４が延びる。そして、左縦枠３及び右縦枠４は、前後方向の離間した位置に被係止部（前側被係止部及び後側被係止部）を備える。すなわち、基壁３０，４０から前外周側壁３２，４２の後端へかけて中間壁３６，４６が形成してあり、前外周側壁３２，４２と中間壁３６，４６の接合部から後側へ前側被係止部３７，４７が延びる。基壁３０，４０の中間壁３６，４６と後側壁３３，４３の間にはネジ止め部３５，４５を設け、基壁３０，４０の中間壁３６，４６とネジ止め部３５，４５の間からは外周側へ補助壁３８，４８が延び、補助壁３８，４８の外周側端部からは後側被係止部３９，４９が後側へ延びる。このように構成した両枠３，４においては、被係合部（前側被係合部及び後側被係合部）が以下のように形成される。すなわち、基壁３０，４０と、中間壁３６，４６と、前側被係止部３７，４７とでコの字形の前側被係合部１３１ａ，１４１ａを形成し、基壁３０，４０と、後側壁３３，４３と、後外周側壁３４，４４とでコの字形の後側被係合部１３１ｂ，１４１ｂを形成する。なお、両枠３，４において、前側被係合部１３１ａ，１４１ａに対する後側被係合部１３１ｂ，１４１ｂ、ネジ止め部３５，４５及び後側被係止部３９，４９の位置関係は、上枠及び下枠のそれと同じである。
左縦枠３と右縦枠４とは、それぞれ前外周側壁３２，４２同士、後外周側壁３４，４４同士及び前側被係止部３７，４７同士が当接し、右縦枠４の前側被係合部１４１ａと連結枠５の前側係合部５１ａとが係合し、右縦枠４の後側被係合部１４１ｂと連結枠５の後側係合部５１ｂとが係合し、左縦枠３の前側被係止部３７が連結枠５の前側係止部５２ａに係止され、左縦枠３の後側被係止部３９が連結枠５の後側係止部５２ｂに係止される。そして、左縦枠３のネジ止め部３５にネジ６０を挿入し、ネジ受け部５３に螺入することで、左縦枠３と右縦枠４を連結する。
このように方立８２を構成することで、無目の場合と同様の効果を奏する。すなわち、連結枠５が外部に露出せず、外観が好ましい。また、組み立てに際しては、まず連結枠５を右縦枠４の見付け方向端部から挿入して両係合部５１ａ，５１ｂを両被係合部１４１ａ，１４１ｂに係合させるが、連結枠５の両係合部５１ａ，５１ｂ及び補助ネジ受け部５４の先端が右縦枠４の基壁４０に当接するので、連結枠５が右縦枠４側に脱落しない。続いて、左縦枠３の両被係止部３７，３９をそれぞれ連結枠５の両係止部５２ａ，５２ｂに係止することで、ネジ止め前でも連結状態が維持されるため、その後のネジ止め作業が容易である。そして、両枠３，４と連結枠５とを見込み方向一箇所のみのネジ止めで連結するため、作業工程を低減することができる。さらに、ネジ止めについて、見付け方向の少なくとも一箇所において左縦枠３側からネジ止めすれば、両枠３，４の前後方向のずれを抑えることができ、その他の箇所において左縦枠３側からネジ止めを行うことが困難である場合には、右縦枠４のネジ止め部４５にネジを挿入し、補助ネジ受け部５４に螺入することで、右縦枠４側からでもネジ止めを行うことができるため、施工性が良好である。また、左縦枠３及び右縦枠４のネジ止め部３５，４５は、躯体固定用のネジ孔と兼用できる。よって、ネジの取付位置が、躯体と連結枠５とで同一面内となるので、施工性が良好である。
そして、上記のとおり上枠１、下枠２、左縦枠３及び右縦枠４それぞれにおいて、前側被係合部１１１ａ，１２１ａ，１３１ａ，１４１ａに対する後側被係合部１１１ｂ，１２１ｂ，１３１ｂ，１４１ｂ、ネジ止め部１５，２５，３５，４５及び後側被係止部１９，２９，３９，４９の位置関係が同じになるよう形成することで、連結枠５を無目と方立において兼用することができ、製造コストを低減することができる。
【００１７】
本発明は、上記の実施形態に限定されない。中間壁は、無くてもよいし、連結枠の後側や前後両側に設けてあってもよい。中間壁が無い場合には、前外周側壁又は後外周側壁が被係止部として機能する。その他、上枠、下枠、左縦枠、右縦枠及び連結枠の断面形状は、実施形態のものに限定されるものではなく、要件の範囲内で適宜変更できる。例えば、前側壁、後側壁、中間壁及び補助壁は、基壁から直線状に延びるものに限られず、途中で折れていてもよい。また、上枠と下枠又は左縦枠と右縦枠は対称形でなくてもよく、前外周側壁同士及び後外周側壁同士が当接し、前側被係合部、後側被係合部、前側被係止部、後側被係止部及びネジ止め部の位置関係が統一されていればよい。さらに、上記以外に構造を補強する部材を設けてもよい。また、上窓と下窓又は左窓と右窓の組み合わせは、嵌め殺し窓とたてすべり出し窓の組み合わせに限られず、引き違い窓、回転窓、上げ下げ窓等、任意の形態の窓を上下又は左右に自由に組み合わせて段窓、連窓又は連段窓を構成できる。
【符号の説明】
【００１８】
１  上枠
２  下枠
３  左縦枠
４  右縦枠
５  連結枠
１０，２０，３０，４０  基壁
１１，２１，３１，４１  前側壁
１２，２２，３２，４２  前外周側壁
１３，２３，３３，４３  後側壁
１４，２４，３４，４４  後外周側壁
１５，２５，３５，４５  ネジ止め部
１７，２７，３７，４７  前側被係止部
１９，２９，３９，４９  後側被係止部
５０  胴部
５１ａ  前側係合部
５１ｂ  後側係合部
５２ａ  前側係止部
５２ｂ  後側係止部
５３  ネジ受け部
６０  ネジ
１１１ａ，１２１ａ，１３１ａ，１４１ａ  前側被係合部
１１１ｂ，１２１ｂ，１３１ｂ，１４１ｂ  後側被係合部
【図１】
0005438192.tif 000002
【図２】
0005438192.tif 000003
【図３】
0005438192.tif 000004
【図４】
0005438192.tif 000005
【図５】
0005438192.tif 000006